(57)【要約】【課題】ソレノイドが簡単，確実に組み付けられ、長期間の使用によっても作動不良を起こすおそれがなく、耐久性を向上し得る電動可変入賞装置のソレノイド取付構造を提供する。【解決手段】プランジャー１９をソレノイド１５の前方に出没動させることにより開閉羽根５ａ，５ｂが可動するように構成された電動可変入賞装置において、ソレノイドの後部に強磁性金属板からなるヨーク１６の後端縁を幅方向に僅かに突出させることにより突片２１を形成し、前面が開口する角形の収容部２３をプラスチック製の機枠体２２に一体に成形すると共に、該収容部の相対する側壁２３ａ，２３ｂの少なくとも一方の側壁２３ａの後部に係合孔２４を形成し、前記ソレノイドの後端部を該収容部の前面開口に差し込み、前記突片により該側壁を外方に一旦弾性変形させて復元させ該突片を前記係合孔に係合させることにより、該ソレノイドが該収容部に抜脱不能に固定されるようにした。【選択図】図４
2008136774.tif 000002
【特許請求の範囲】
【請求項１】
プランジャーをソレノイドの前方に出没動させることにより開閉羽根が可動するように構成された電動可変入賞装置において、ソレノイドの後部に強磁性金属板からなるヨークの後端縁を幅方向に僅かに突出させることにより突片を形成し、前面が開口する角形の収容部をプラスチック製の機枠体に一体に成形すると共に、該収容部の相対する側壁の少なくとも一方の側壁の後部に係合孔を形成し、前記ソレノイドの後端部を該収容部の前面開口に差し込み、前記突片により該側壁を外方に一旦弾性変形させて復元させ該突片を前記係合孔に係合させることにより、該ソレノイドが該収容部に抜脱不能に固定されるようにしたことを特徴とする電動可変入賞装置のソレノイド取付構造。
【発明の詳細な説明】
【技術分野】
【０００１】
本発明は、ソレノイドの作動により開閉羽根を可動させ、遊技盤上を流下するパチンコ球を入賞し易くしたり入賞し難くする電動可変入賞装置におけるソレノイド取付構造に関するものである。
【背景技術】
【０００２】
ソレノイドを励磁・消磁させることによって一対の開閉羽根が平行起立状態、または逆八字状に傾動するように構成された所謂チューリップ型の電動可変入賞装置は、下記特許文献１〜３等に示されている。
【特許文献１】実公平７−３００５０号公報
【特許文献２】実開平６−２１６７５号公報
【特許文献３】特開平７−１１６３０９号公報
【発明の開示】
【発明が解決しようとする課題】
【０００３】
ところで、この種の電動可変入賞装置は、遊技客とのトラブルを避けるためにも数百万回の作動に耐えられる耐久性が必要とされているが、ソレノイドのプランジャーを繰り返し出没動させ開閉羽根を可動させるものであるので、その衝撃，振動により該ソレノイドの取付部のビスが緩んだり、或いは係合爪が摩耗したりすることにより、ガタが生じ、プランジャーが十分なストロークで進退動しなくなって、作動不良を起こすおそれがあった。また、ビスによる組み付けには時間が掛かるので生産性が向上しない欠点があった。
【課題を解決するための手段】
【０００４】
本発明は上記課題を解決しようとするもので、プランジャーをソレノイドの前方に出没動させることにより開閉羽根が可動するように構成された電動可変入賞装置において、ソレノイドの後部に強磁性金属板からなるヨークの後端縁を幅方向に僅かに突出させることにより突片を形成し、前面が開口する角形の収容部をプラスチック製の機枠体に一体に成形すると共に、該収容部の相対する側壁の少なくとも一方の側壁の後部に係合孔を形成し、前記ソレノイドの後端部を該収容部の前面開口に差し込み、前記突片により該側壁を外方に一旦弾性変形させて復元させ該突片を前記係合孔に係合させることにより、該ソレノイドが該収容部に抜脱不能に固定されるようにしたことを特徴とする。
【発明の効果】
【０００５】
この電動可変入賞装置では、ソレノイドが簡単，確実に組み付けられ、長期間の使用によっても作動不良を起こすおそれがなく、耐久性が向上する。
【発明を実施するための最良の形態】
【０００６】
次に本発明の実施形態を図面に従い説明する。図１はこの電動可変入賞装置の正面図、図２は平面図、図３は後方からの斜視図、図４は縦断面図である。また、図５、図６はその分解斜視図である。図中、１は中央に入球口２が開設された取付基板、３は該取付基板の前面にビス４により固設される球受部材、５ａ，５ｂは取付基板１の前面で該球受部材内に設けられた支軸６ａ，６ｂにより平行起立及び逆八字状傾動自在に軸支された一対の開閉羽根で、該取付基板１の裏面には入球口２より流入したパチンコ球を後方に導く緩後傾状の球誘導樋７が設けられる。取付基板１における入球口２の両側位置には該入球口とは別途に一対の長孔８ａ，８ｂが前記支軸６ａ，６ｂを中心とする円弧状に湾曲した形状に開設される。また、開閉羽根５ａ，５ｂの裏面に一体に係合軸９ａ，９ｂが形成され、該係合軸の先端を長孔８ａ，８ｂに遊嵌することにより該係合軸の先端を前記球誘導樋７の両外側にて該取付基板１の裏面に突出させている。１０は取付基板１の上部に形成された普通入賞口である。１ａ，１ｂは、図４に示した遊技盤３２の前面に取付基板１を取り付けるため該取付基板に開設されたビス貫通用の透孔、１ｃ，１ｄは支軸６ａ，６ｂの後端部が貫挿され止着されるように取付基板１の前面に形成した軸受部である。
【０００７】
なお、前記球誘導樋７は取付基板１の裏面にビス１１により固着される機枠体１２の下部中心に一体に形成された横断面Ｕ字形のもので、該球誘導樋の両側に適宜隙間を隔てて壁板１３ａ，１３ｂが一体に垂下状に形成されている。また、該機枠体１２はプラスチック製であって、その上部には前記普通入賞口１０の後面と連なる球導路１４が一体に形成されている。
【０００８】
１５はソレノイドで、該ソレノイドは、強磁性金属板をプレス成形してなる平面コ字状のヨーク１６を外殻とし、該ヨークの両先端に強磁性金属材からなる繋板１７が継着され、該ヨーク内に導電コイル１８が設けられ、該導電コイルの中心に軸方向に進退動し得るように強磁性金属材からなるプランジャー１９が配置され、該プランジャーを該繋板１７の中心孔よりソレノイドの前方に突出させると共に、該プランジャーの外周に復帰用コイルバネ２０を装着し、該コイルバネを該ソレノイド１５の前面とプランジャー１９の先端鍔部１９ａ間に圧縮状態となるようにしている。そして、本発明では、該ソレノイド１５の後部にヨーク１６の後端縁を他部分よりも幅方向に僅かに（１ｍｍ程）突出させることにより突片２１を形成している。該ソレノイド１５は、導電コイル１８に直流電流を印加して励磁したときにプランジャー１９がコイルバネ２０を収縮させて該ソレノイド中に吸引され、消磁させたときはプランジャー１９はコイルバネ２０の弾性により前方に突出する。
【０００９】
２２はプラスチック製の第２の機枠体で、該機枠体には前面が開口する角形の収容部２３が一体に形成され、該収容部の相対する側壁２３ａ，２３ｂの少なくとも一方の側壁２３ａの後部に横長孔状の係合孔２４を形成している。なお、該側壁２３ａ，２３ｂの内幅Ｗ１はソレノイド１５のヨーク１６の幅Ｗ２と略々同じであるが、該側壁２３ａ，２３ｂにはプラスチック成形のために必要な型抜き用の僅かな勾配（前方から後方に行くに従い次第に狭くなるもの）が形成されていることから、該収容部の前面開口では内幅Ｗ１は前記突片２１をも含めて該収容部中に入り得るような寸法となっている。また、２５は他方の側壁２３ｂの前縁に一体に形成された爪片である。
【００１０】
このため機枠体２２の収容部２３の前面開口にソレノイド１５の後端部を差し込んで、該ソレノイド１５を該収容部２３中に押し込むと、突片２１によって側壁２３ａ，２３ｂが外方に一旦弾性変形し、該突片が前記係合孔２４に係合することでその変形が復元する。このため、突片２１が係合孔２４に係合した状態で該ソレノイド１５が該収容部２３中に抜脱不能に固定される。なお、このとき前記爪片２５は該ソレノイド１５の前面に係合する。ただし、この爪片２５はあえて設けなくてもソレノイド１５は収容部２３中に確実に固定される。
こうして機枠体２２にソレノイド１５を組み込んだ後に、該機枠体２２はビス２７により前記機枠体１２の後側に固着される。
【００１１】
なお、機枠体２２の上部には前記球導路１４の後部と連なる球導路２６が直交折曲状に形成され、普通入賞口１０に入賞したパチンコ球は球導路１４を経て該球導路２６に流下し排出する。また、普通入賞口１０内底面と球導路１４，球導路２６内底面にはパチンコ球の流下方向に沿うように幅１．５〜３ｍｍ程度の突条が形成され、パチンコ球は該突条の上を転がるようにしている。
【００１２】
３０はソレノイド１５のプランジャー１９の動きを開閉羽根５ａ，５ｂに伝達するための伝動部材で、該伝動部材は横断軸３１の両端に側面略Ｌ字形の一対の側板部３２ａ，３２ｂが一体に形成され、該側板部の中間屈折部付近の両外面に支持軸３３ａ，３３ｂが一体に突設されている。該支持軸を前記機枠体１２の後縁部に形成された切欠孔３４に遊嵌し、機枠体２２を固着し該切欠孔を閉じることにより該支持軸を回転自在に支持している。また、該側板部３２ａ，３２ｂの前端縁に二股状部３５ａ，３５ｂを形成し、該二股状部に前記係合軸９ａ，９ｂの先端を遊嵌させる。
また、伝動部材３０の上部両側板部３２ａ，３２ｂ間にプランジャー１９の先端鍔部１９ａの前面が当接する横断軸３６を形成すると共に、該両側板部３２ａ，３２ｂの内面から突出状に形成されていて該先端鍔部１９ａの裏面に当接する片持軸３７ａ，３７ｂを形成している。
【００１３】
このように構成した電動可変入賞装置では、ソレノイド１５が消磁しているとき、コイルバネ２０の弾性によりプランジャー１９は前方に突出状態となるので、図４に示したように、該プランジャーの先端鍔部１９ａが横断軸３６を押圧し伝動部材３０は支持軸３３ａ，３３ｂを支点として前傾し二股状部３５ａ，３５ｂが係合軸９ａ，９ｂを押し下げることから開閉羽根５ａ，５ｂを平行起立状態とし、パチンコ球が該開閉羽根５ａ，５ｂ間に入賞し難い状態としている。また、ソレノイド１５が励磁されると、コイルバネ２０の弾性に抗してプランジャー１９は後方に引っ張られるので、先端鍔部１９ａが片持軸３７ａ，３７ｂを引っ張り、伝動部材３０を後傾させ二股状部３５ａ，３５ｂが係合軸９ａ，９ｂを押し上げることから開閉羽根５ａ，５ｂは図１に２点鎖線で示したように逆八字状に傾動し、該開閉羽根５ａ，５ｂの間にパチンコ球が入賞し易い状態となる。そして、該開閉羽根５ａ，５ｂ間に流下したパチンコ球は入球口２より球誘導樋７に流れ込み、該球誘導樋７の後端から排出される。
【００１４】
このように本発明に係る電動可変入賞装置のソレノイド取付構造では、収容部２３にソレノイド１５を差し込むだけでワンタッチで簡単に該ソレノイドを固定できるので、組み立て作業が容易となり生産性が向上する。また、ソレノイド１５が作動しプランジャー１９が繰り返し進退動することに伴う衝撃・振動が突片２１より係合孔２４に掛かるが、その力は側壁２３ａに対して平行方向に掛かるので、該側壁がその繰り返し荷重に対しても殆ど変形することはない。このため長期間使用してもソレノイドの固定状態が緩んでガタが生じるようなおそれがなく、耐久性が向上し、長期間の使用によっても作動不良を生じさせない信頼性の高い製品を提供することができる。
【００１５】
なおこの実施形態は、ソレノイドを水平に設けた例を示したが、ソレノイドを竪または傾斜状に設ける可変入賞装置にも本発明のソレノイド取付構造を採ることができる。
【図面の簡単な説明】
【００１６】
【図１】本発明に係る電動可変入賞装置の正面図。
【図２】本発明に係る電動可変入賞装置の平面図。
【図３】本発明に係る電動可変入賞装置の後方からの斜視図。
【図４】本発明に係る電動可変入賞装置の縦断面図。
【図５】本発明に係る電動可変入賞装置の分解斜視図。
【図６】本発明に係る電動可変入賞装置の分解斜視図。
【符号の説明】
【００１７】
１                取付基板
２                入球口
５ａ，５ｂ        開閉羽根
６ａ，６ｂ        支軸
７                球誘導樋
８ａ，８ｂ        長孔
９ａ，９ｂ        係合軸
１５              ソレノイド
１６              ヨーク
１９              プランジャー
２１              突片
２２              機枠体
２３              収容部
２３ａ，２３ｂ    側壁
２４              係合孔
３０              伝動部材
【図１】
2008136774.tif 000003
【図２】
2008136774.tif 000004
【図３】
2008136774.tif 000005
【図４】
2008136774.tif 000006
【図５】
2008136774.tif 000007
【図６】
2008136774.tif 000008